(57)【特許請求の範囲】
【請求項１】
通信の予約を識別するための予約識別情報、及び前記予約に基づく通信を実行中の伝送端末を識別するための伝送端末識別情報を関連付けて管理する通信管理部と、
要求元としての伝送端末から、宛先としての伝送端末を識別するための伝送端末識別情報を含む、予約に基づく通信の開始の要求を受け付ける受付部と、
前記受付部によって前記通信の開始の要求が受け付けられると、前記宛先としての伝送端末を識別するための伝送端末識別情報に関連付けられた前記予約識別情報を前記通信管理部から抽出する宛先端末予約情報抽出部と、
前記宛先端末予約情報抽出部によって抽出された前記予約識別情報によって識別される予約、及び前記要求元としての伝送端末によって開始の要求がされた前記通信の予約が同一であるか判断する判断部と、
前記判断部によって、前記予約が同一であると判断された場合には、前記通信の開始の要求を許可する旨の応答を前記要求元としての伝送端末に送信し、前記予約が同一でないと判断された場合には、前記通信の開始の要求を拒否する旨の応答を前記要求元としての伝送端末に送信する送信部と、
を有することを特徴とする伝送管理システム。
【請求項２】
前記通信管理部は、前記判断部によって前記予約が同一であると判断されると、前記宛先端末予約情報抽出部によって抽出された前記予約識別情報に関連づけて、前記要求元としての伝送端末を識別するための伝送端末識別情報を管理することを特徴とする請求項１に記載の伝送管理システム。
【請求項３】
前記通信の予約を識別するための予約識別情報、及び前記通信の予約がされた伝送端末を識別するための伝送端末識別情報、を関連付けて管理する予約管理部と、
前記受付部によって前記通信の開始の要求が受け付けられると、前記要求元としての伝送端末を識別するための伝送端末識別情報に関連付けられた前記予約識別情報を前記予約管理部から抽出する要求元端末予約情報抽出部と、を更に有し、
前記判断部は、
前記要求元端末予約情報抽出部によって抽出された前記予約識別情報、及び前記宛先端末予約情報抽出部によって抽出された前記予約識別情報が同一である場合には、前記予約が同一であると判断し、前記要求元端末予約情報抽出部によって抽出された前記予約識別情報、及び前記宛先端末予約情報抽出部によって抽出された前記予約識別情報が同一でない場合には、前記予約が同一でないと判断することを特徴とする請求項１又は２に記載の伝送管理システム。
【請求項４】
請求項１乃至３のいずれか一項に記載の伝送管理システムと、
前記伝送管理システムから前記通信の開始の要求を許可する旨の前記応答を受信すると、前記宛先としての伝送端末と前記予約に基づく通信を実行する前記伝送端末と、
を有することを特徴とする伝送システム。
【請求項５】
請求項１に記載の伝送管理システムに、
要求元としての伝送端末から、宛先としての伝送端末を識別するための伝送端末識別情報を含む、予約に基づく通信の開始の要求を受け付ける受付処理と、
前記受付処理によって前記通信の開始の要求が受け付けられると、前記宛先としての伝送端末を識別するための伝送端末識別情報に関連付けられた前記予約識別情報を前記通信管理部から抽出する宛先端末予約情報抽出処理と、
前記宛先端末予約情報抽出処理によって抽出された前記予約識別情報によって識別される予約、及び前記要求元としての伝送端末によって要求された通信の予約が同一であるか判断する判断処理と、
前記判断処理によって、前記予約が同一であると判断された場合には、前記通信の開始の要求を許可する旨の応答を前記要求元としての伝送端末に送信し、前記予約が同一でないと判断された場合には、前記通信の開始の要求を拒否する旨の応答を前記要求元としての伝送端末に送信する送信処理と、
を実行させることを特徴とする伝送管理システム用プログラム。
【発明の詳細な説明】
【技術分野】
【０００１】
本発明は、要求元としての伝送端末から宛先としての伝送端末との通信の開始の要求を受け付けたときに、この通信の開始の要求を許可または拒否するシステム及びプログラムに関する。
【背景技術】
【０００２】
近年、出張経費及び出張時間を削減する要請に伴い、インターネット等の通信ネットワークを介してテレビ会議を行うテレビ会議システムが普及している。このようなテレビ会議システムでは、複数のテレビ会議端末間で、画像データ及び音声データ等のコンテンツデータの送受信が行われ、テレビ会議を実現することができる。
【０００３】
テレビ会議を実行する場合、会議開始時刻および終了時刻を予約しておき、管理サーバが、予約された会議開始時刻にテレビ会議端末を呼び出し、終了時刻にテレビ会議端末の接続を切断する方法が知られている（特許文献１参照）。ところが、この方法によると、管理サーバの処理を契機としてテレビ会議を開始あるいは終了させるので、会議開始時刻を早めたり、終了時刻を延長したりするためには、管理サーバに対して予約の変更を通知する必要があり、利用者の手間を要していた。
【０００４】
一方、テレビ会議端末で利用者から通信の一例としての通話の要求を受け付けて、これを契機としてテレビ会議端末間の通話を実行する方法が知られている（特許文献２参照）。この方法で通話を開始する場合、通話の要求元としてのテレビ会議端末は、宛先としてのテレビ会議端末の選択を受け付けて、テレビ会議端末間の接続を制御する管理システムに宛先としてのテレビ会議端末との通話の開始を要求する。管理システムは、この要求に基づいて要求元としてのテレビ会議端末と宛先としてのテレビ会議端末とを接続させ、これにより、テレビ会議端末間の通話が開始される。この方法によると、開始時刻や終了時刻の目安とするために通話の予約がされていた場合でも、予約を変更することなく通話開始時刻を早めたり、終了時刻を延長したりするなど通話時間の変更が可能となるので、テレビ会議の自由度が向上する。
【発明の概要】
【発明が解決しようとする課題】
【０００５】
しかしながら、テレビ会議システムなどの伝送システムにおいて、予約を変更することなく、通信時間を変更可能とした場合には、予約における通信終了時刻を越えて通信が実行されるなど、予約された通りに通信が実行されないことも想定される。ここで、３つのテレビ会議端末などの伝送端末間で通信しようとした場合に、通信中の伝送端末を宛先として通信の開始が要求されたとき、伝送端末間の接続を制御する伝送管理システムは、宛先としての伝送端末が実行中の通信がいずれの予約に基づくものかを把握できなくなる。このため、伝送管理システムは、開始要求された通信にかかる接続を制御できなくなるという課題が生じる。
【課題を解決するための手段】
【０００６】
請求項１に係る発明は、通信の予約を識別するための予約識別情報、及び前記予約に基づく通信を実行中の伝送端末を識別するための伝送端末識別情報を関連付けて管理する通信管理部と、要求元としての伝送端末から、宛先としての伝送端末を識別するための伝送端末識別情報を含む、予約に基づく通信の開始の要求を受け付ける受付部と、前記受付部によって前記通信の開始の要求が受け付けられると、前記宛先としての伝送端末を識別するための伝送端末識別情報に関連付けられた前記予約識別情報を前記通信管理部から抽出する宛先端末予約情報抽出部と、前記宛先端末予約情報抽出部によって抽出された前記予約識別情報によって識別される予約、及び前記要求元としての伝送端末によって開始の要求がされた前記通信の予約が同一であるか判断する判断部と、前記判断部によって、前記予約が同一であると判断された場合には、前記通信の開始の要求を許可する旨の応答を前記要求元としての伝送端末に送信し、前記予約が同一でないと判断された場合には、前記通信の開始の要求を拒否する旨の応答を前記要求元としての伝送端末に送信する送信部と、を有することを特徴とする伝送管理システムである。
【発明の効果】
【０００７】
以上説明したように本発明によれば、伝送管理システムは、通信の予約を識別するための予約識別情報、及びこの予約に基づく通信を実行中の伝送端末を識別する伝送端末識別情報、を関連付けて管理する。これにより、宛先としての伝送端末が予約された通りに通信を実行しない場合でも、伝送管理システムは、宛先としての伝送端末がいずれの予約に基づく通信を実行中であるか把握することが可能となるので、開始要求された通信にかかる接続を制御することが可能になるという効果を奏する。
【図面の簡単な説明】
【０００８】
【図１】本発明の一実施形態に係る伝送システムの概略図である。
【図２】伝送システムにおける画像データ、音声データ、及び各種管理情報の送受信の状態を示した概念図である。
【図３】本発明の一実施形態に係る伝送端末の外観図である。
【図４】本発明の一実施形態に係る伝送端末のハードウェア構成図である。
【図５】本発明の一実施形態に係る伝送管理システムのハードウェア構成図である。
【図６】本発明の一実施形態に係る伝送システムを構成する各端末、装置及びシステムの機能ブロック図である。
【図７】会議リスト及び宛先リストを示す概念図である。
【図８】中継装置管理テーブルを示す概念図である。
【図９】端末認証管理テーブルを示す概念図である。
【図１０】端末管理テーブルを示す概念図である。
【図１１】宛先リスト管理テーブルを示す概念図である。
【図１２】セッション管理テーブルを示す概念図である。
【図１３】予約管理テーブルを示す概念図である。
【図１４】伝送端末間で通話を開始する準備段階の処理を示したシーケンス図である。
【図１５】会議情報及び宛先情報を作成する処理を示したフロー図である。
【図１６】会議情報及び宛先情報の一例を示す概念図である。
【図１７】通話を開始する処理を示したシーケンス図である。
【図１８】３つの端末間で通話を開始する処理を示したシーケンス図である。
【図１９】通話要求の判断処理を示したフロー図である。
【図２０】通話を終了する処理を示したシーケンス図である。
【図２１】宛先リストを示す概念図である。
【発明を実施するための形態】
【０００９】
＜＜実施形態の全体構成＞＞
以下、本発明の一実施形態について説明する。まず、図１及び図２を用いて本実施形態の全体構成について説明する。図１は、本発明の一実施形態に係る伝送システムの概略図である。図２は、伝送システムにおける画像データ、音声データ、及び各種管理情報の送受信の状態を示した概念図である。
【００１０】
本実施形態の伝送システムには、伝送管理システムを介して一方の伝送端末から他方の伝送端末に一方向でコンテンツデータを伝送するデータ提供システムや、伝送管理システムを介して複数の伝送端末間で情報を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報を相互に伝達するためのシステムであり、テレビ会議システムやテレビ電話システム、音声会議システム、音声電話システム、ＰＣ(Personal Computer)画面共有システム等が例として挙げられる。
【００１１】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定した上で、伝送システム、伝送管理システム、及び伝送端末について説明する。即ち、本実施形態の伝送端末及び伝送管理システムは、テレビ会議システムに適用されるだけでなく、コミュニケーションシステム、又は伝送システムにも適用される。
【００１２】
図１に示されている伝送システム１は、複数の伝送端末（１０ａａ，１０ａｂ，…）、各伝送端末（１０ａａ，１０ａｂ，…）用のディスプレイ（１２０ａａ，１２０ａｂ，…）、複数の中継装置（３０ａ，３０ｂ，３０ｃ，３０ａ）、伝送管理システム５０、プログラム提供システム９０、及びメンテナンスシステム１００によって構築されている。複数の伝送端末１０は、コンテンツデータの一例としての画像データ及び音声データの送受信による伝送を行う。なお、画像データの画像は、動画であっても静止画であってもよく、動画と静止画の両方であってもよい。本実施形態では、画像データの画像が動画の場合について説明する。
【００１３】
なお、以下では、「伝送端末」を単に「端末」として表し、「伝送管理システム」を単に「管理システム」として表す。また、複数の端末（１０ａａ，１０ａｂ，…）のうち任意の端末は、「端末１０」と表され、複数のディスプレイ（１２０ａａ，１２０ａｂ，…）のうち任意のディスプレイは「ディスプレイ１２０」と表され、複数の中継装置（３０ａ，３０ｂ，３０ｃ，３０ｄ）のうち任意の中継装置は「中継装置３０」と表されている。
【００１４】
また、図２に示されているように、伝送システム１において、端末１０間では、管理システム５０を介して、各種の管理情報を送受信するための管理情報用セッションｓｅｉが確立される。また、端末１０間では、中継装置３０を介して、画像データ及び音声データを送受信するためのセッションが確立される。ここでは、画像データ及び音声データを送受信するためのセッションをまとめて、コンテンツデータ用セッションｓｅｄとして示している。
【００１５】
図１に示されている端末１０は、他の端末１０との間で通信の一例としての通話を行うために、画像データ、音声データ等のコンテンツデータの送受信を行う。即ち、本実施形態における通話には、音声データの送受信だけでなく、画像データの送受信も含まれる。但し、端末１０は画像データの送受信を行わず、音声データの送受信を行うようにしてもよい。中継装置３０は、複数の端末１０間で、コンテンツデータの中継を行う。管理システム５０は、端末１０及び中継装置３０を一元的に管理する。
【００１６】
複数のルータ（７０ａ，７０ｂ，７０ｃ，７０ｄ，７０ａｂ，７０ｃｄ）は、コンテンツデータの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００１７】
プログラム提供システム９０は、後述のＨＤ(Hard Disk)２０４を備えており、端末１０に各種機能を実現させる（又は、端末１０を各種手段として機能させる）ための端末用プログラムが記憶され、端末１０に端末用プログラムを送信することができる。また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。更に、プログラム提供システム９０のＨＤ２０４には、管理システム５０に各種機能を実現させる（又は、管理システム５０を各種手段として機能させる）ための伝送管理用プログラムも記憶されており、管理システム５０に、伝送管理用プログラムを送信することができる。
【００１８】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されている場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０のうちの少なくとも１つにおける機種番号、製造番号、販売先、保守点検、又は故障履歴の管理等のメンテナンスを行う。
【００１９】
ところで、端末（１０ａａ，１０ａｂ，・・・）、中継装置３０ａ、及びルータ７０ａは、ＬＡＮ２ａによって通信可能に接続されている。端末（１０ｂａ，１０ｂｂ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２０】
一方、端末（１０ｃａ，１０ｃｂ，・・・）、中継装置３０ｃ、及びルータ７０ｃは、ＬＡＮ２ｃによって通信可能に接続されている。端末（１０ｄａ，１０ｄｂ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００２１】
また、管理システム５０、及びプログラム提供システム９０は、インターネット２ｉを介して、端末１０、及び中継装置３０と通信可能に接続されている。管理システム５０、及びプログラム提供システム９０は、地域Ａ又は地域Ｂに設置されていてもよいし、これら以外の地域に設置されていてもよい。
【００２２】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく、ＷｉＦｉ（Wireless Fidelity）や、Ｂｌｕｅｔｏｏｔｈ（登録商標）等の無線による通信が行われる箇所があってもよい。
【００２３】
また、図１において、各端末１０、各中継装置３０、管理システム５０、各ルータ７０、プログラム提供システム９０、及びメンテナンスシステム１００の上下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２４】
なお、各端末１０は、複数の事業所間での通話や、同じ事業所内の異なる部屋間での通話だけでなく、同じ部屋内での通話や、屋外と屋内又は屋外と屋外での通話で使われてもよい。各端末１０が屋外で使われる場合には、携帯電話通信網等の無線による通信が行われる。
【００２５】
＜＜実施形態のハードウェア構成＞＞
次に、本実施形態のハードウェア構成を説明する。まず、図３及び図４を用いて端末１０の端末１０のハードウェア構成について説明する。図３は、本発明の一実施形態に係る端末の外観図である。図４は、本発明の一実施形態に係る端末のハードウェア構成図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００２６】
図３に示されているように、端末１０は、筐体１１００、アーム１２００、及びカメラハウジング１３００を備えている。このうち、筐体１１００の前側壁面１１１０には、複数の吸気孔によって形成された不図示の吸気面が設けられており、筐体１１００の後側壁面１１２０には、複数の排気孔が形成された排気面１１２１が設けられている。これにより、筐体１１００に内蔵された冷却ファンの駆動によって、不図示の吸気面を介して端末１０の後方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００２７】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための不図示の接続口が設けられている。
【００２８】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００２９】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３は、チルト角θ１が９０度の状態を示している。
【００３０】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００３１】
図４に示されているように、本実施形態の端末１０は、端末１０全体の動作を制御するＣＰＵ（Central Processing Unit）１０１、端末用プログラムを記憶したＲＯＭ（Read Only Memory）１０２、ＣＰＵ１０１のワークエリアとして使用されるＲＡＭ（Random Access Memory）１０３、画像データや音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、後述の通信ネットワーク２を利用してデータ伝送をするためのネットワークＩ／Ｆ（Interface）１１１を備えている。
【００３２】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、端末１０の各種機能の異常を知らせるアラームランプ１１９、及び上記各構成要素を図４に示されているように電気的に接続するためのアドレスバスやデータバス等のバスライン１１０を備えている。
【００３３】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)やＤＶＩ(Digital Video Interactive)信号用のケーブルであってもよい。
【００３４】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００３５】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００３６】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００３７】
更に、上記端末用プログラムは、インストール可能な形式又は実行可能な形式のファイルによって、コンピュータで読み取り可能な記録媒体（記録メディア１０６等）に記録されて流通されるようにしてもよい。また、上記端末用プログラムは、フラッシュメモリ１０４ではなくＲＯＭ１０２に記憶させるようにしてもよい。
【００３８】
続いて、図５を用いて管理システム５０、中継装置３０、プログラム提供システム９０、及びメンテナンスシステム１００のハードウェア構成について説明する。図５は、本発明の一実施形態に係る管理システムのハードウェア構成図である。なお、中継装置３０、管理システム５０、プログラム提供システム９０、及びメンテナンスシステム１００は、それぞれ一般のサーバ・コンピュータの外観と同じであるため、外観の説明を省略する。
【００３９】
管理システム５０は、管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、伝送管理用プログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像等の各種情報を表示するディスプレイ２０８、通信ネットワーク２を利用してデータ伝送をするためのネットワークＩ／Ｆ２０９、文字、数値、各種指示等の入力のための複数のキーを備えたキーボード２１１、各種指示の選択や実行、処理対象の選択、カーソルの移動等を行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、管理システム５０の内蔵時計としてのクロック２１５、及び、上記各構成要素を図５に示されているように電気的に接続するためのアドレスバスやデータバス等のバスライン２１０を備えている。
【００４０】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記伝送管理用プログラムは、ＨＤ２０４ではなくＲＯＭ２０２に記憶されるようにしてもよい。
【００４１】
また、中継装置３０は、上記管理システム５０と同様のハードウェア構成を有しているため、その詳細な説明を省略する。但し、ＨＤ２０４には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記中継装置用プログラムは、ＨＤ２０４ではなくＲＯＭ２０２に記憶されるようにしてもよい。
【００４２】
また、プログラム提供システム９０及びメンテナンスシステム１００は、上記管理システム５０と同様のハードウェア構成を有しているため、その詳細な説明を省略する。但し、ＨＤ２０４には、プログラム提供システム９０を制御するためのプログラム提供用プログラム又はメンテナンスシステム１００を制御するためのメンテナンス用プログラムが記録されている。この場合も、これらのプログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、これらのプログラムは、ＨＤ２０４ではなくＲＯＭ２０２に記憶されるようにしてもよい。
【００４３】
なお、上記着脱可能な記録媒体の他の例として、ＣＤ−Ｒ(Compact Disc Recordable)、ＤＶＤ(Digital Versatile Disk)、ブルーレイディスク等のコンピュータで読み取り可能な記録媒体に記録して提供するように構成してもよい。
【００４４】
＜＜実施形態の機能構成＞＞
次に、図６を用いて本実施形態の機能構成について説明する。図６は、本発明の一実施形態に係る伝送システムを構成する各端末、装置及びシステムの機能ブロック図である。図６では、端末１０、中継装置３０、及び管理システム５０が、通信ネットワーク２を介してデータ通信することができるように接続されている。また、図１に示されているプログラム提供システム９０及びメンテナンスシステム１００は、テレビ会議の通信において直接関係ないため、図６では省略されている。
【００４５】
＜端末の機能構成＞
端末１０は、送受信部１１、操作入力受付部１２、ログイン要求部１３、撮像部１４、音声入力部１５ａ、音声出力部１５ｂ、表示制御部１６、記憶・読出処理部１９、及び宛先リスト作成部２０を有している。これら各部は、図４に示されている各構成要素のいずれかが、フラッシュメモリ１０４からＲＡＭ１０３上に展開された端末用プログラムに従ったＣＰＵ１０１からの命令によって動作することで実現される機能、又は機能する手段である。また、端末１０は、図４に示されているＲＡＭ１０３、及び図４に示されているフラッシュメモリ１０４によって構築される記憶部１０００を有している。
【００４６】
（端末の各機能部）
次に、図４及び図６を用いて、端末１０の各機能構成について詳細に説明する。なお、以下では、端末１０の各機能構成を説明するにあたって、図４に示されている各構成要素のうち、端末１０の各機能構成を実現させるための主な構成要素との関係も説明する。
【００４７】
図６に示されている端末１０の送受信部１１は、図４に示されているＣＰＵ１０１からの命令、及び図４に示されているネットワークＩ／Ｆ１１１によって実現され、通信ネットワーク２を介して他の端末、装置又はシステムと各種データ（または情報）の送受信を行う。この送受信部１１は、所望の宛先としての端末１０（宛先端末）と通話を開始する前から、管理システム５０より、宛先候補としての各端末の状態を示す各状態情報の受信を開始する。なお、この状態情報は、各端末１０の稼動状態（オンラインかオフラインか、オンラインであっても更に通話中であるか等）を示す。また、この状態情報は、各端末１０の稼動状態だけでなく、端末１０でケーブル１２０ｃが端末１０から外れていたり、音声を出力するが画像は出力させなかったり、音声を出力さないようにする（ＭＵＴＥ）等、様々な状態を示す。以下では、一例として、状態情報が稼動状態を示す場合について説明する。
【００４８】
操作入力受付部１２は、図４に示されているＣＰＵ１０１からの命令、並びに図４に示されている操作ボタン１０８及び電源スイッチ１０９によって実現され、利用者による各種入力を受け付ける。例えば、利用者が、図４に示されている電源スイッチ１０９をＯＮにすると、図６に示されている操作入力受付部１２が電源ＯＮを受け付けて、電源をＯＮにする。
【００４９】
ログイン要求部１３は、図４に示されているＣＰＵ１０１からの命令によって実現され、上記電源ＯＮの受け付けを契機として、送受信部１１から通信ネットワーク２を介して管理システム５０に、ログインを要求する旨を示すログイン要求情報、及び要求元としての端末１０の現時点のＩＰアドレスを自動的に送信する。また、利用者が電源スイッチ１０９をＯＮの状態からＯＦＦにすると、送受信部１１が管理システム５０へ電源をＯＦＦする旨の状態情報を送信した後に、操作入力受付部１２が電源を完全にＯＦＦにする。これにより、管理システム５０側では、端末１０が電源ＯＮから電源ＯＦＦになったことを把握することができる。
【００５０】
撮像部１４は、図４に示されているＣＰＵ１０１からの命令、並びに図４に示されているカメラ１１２及び撮像素子Ｉ／Ｆ１１３によって実現され、被写体を撮像して、この撮像して得た画像データを出力する。
【００５１】
音声入力部１５ａは、図４に示されているＣＰＵ１０１からの命令、及び図４に示されている音声入出力Ｉ／Ｆ１１６によって実現され、マイク１１４によって利用者の音声が音声信号に変換された後、この音声信号に係る音声データを入力する。音声出力部１５ｂは、図４に示されているＣＰＵ１０１からの命令、及び図４に示されている音声入出力Ｉ／Ｆ１１６によって実現され、音声データに係る音声信号をスピーカ１１５に出力し、スピーカ１１５から音声を出力させる。
【００５２】
表示制御部１６は、図４に示されているＣＰＵ１０１からの命令、及び図４に示されているディスプレイＩ／Ｆ１１７によって実現され、受信された画像データをディスプレイ１２０に送信するための制御を行う。
【００５３】
また、表示制御部１６は、管理システム５０から受信した宛先リスト及び会議リストの情報をディスプレイ１２０に送信して、ディスプレイ１２０に宛先リスト及び会議リストを表示させることができる。これにより、ディスプレイ１２０上には、表示制御部１６によって、例えば、図７に示されているような宛先リスト枠３１１−１が表示される。なお、図７は、会議リスト及び宛先リストを示す概念図である。この宛先リスト枠３１１−１には、「日本  東京事業所  ＡＢ端末」等の各宛先名３１１−２が表示されており、宛先名毎に状態情報に係る状態を示したアイコン（３１１−３ａ，３１１−３ｂ，３１１−３ｃ）が表示される。このうち、アイコン３１１−３ａは、宛先候補の一つの端末がオンライン状態で待受け中であるため、この端末と通話可能であることを示す。アイコン３１１−３ｂは、宛先候補の一つの端末がオフライン状態で、この端末と通話不可能であることを示す。アイコン３１１−３ｃは、宛先候補の一つの端末が他の端末と通話中の状態であることを示す。なお、宛先リスト枠３１１−１には、右側にスクロールバー３１１−５が表示され、三角形の上向き又は下向きアイコンが選択されることで、図７には表示されていない宛先候補の宛先名および状態を示したアイコンが表示されることになる。また、この宛先リスト枠３１１−１には、「08:30〜10:00 New York Branch…」等の各会議時刻及び各会議名３１１−４が表示される。
【００５４】
記憶・読出処理部１９は、図４に示されているＣＰＵ１０１からの命令及び図４に示すＳＳＤ１０５によって実現され、又はＣＰＵ１０１からの命令によって実現され、記憶部１０００に各種データを記憶したり、記憶部１０００に記憶された各種データを読み出す処理を行う。この記憶部１０００には、端末１０を識別するための端末ＩＤ(Identification）、及びパスワード等が記憶される。更に、記憶部１０００には、宛先端末との通話を行う際に受信される画像データ及び音声データが、受信される度に上書き記憶される。このうち、上書きされる前の画像データによってディスプレイ１２０に画像が表示され、上書きされる前の音声データによってスピーカ１１５から音声が出力される。なお、本実施形態の端末ＩＤ及び後述の中継装置ＩＤは、それぞれ端末１０及び中継装置３０を一意に識別するために使われる言語、文字、記号、又は各種のしるし等の識別情報を示す。また、端末ＩＤ及び中継装置ＩＤは、上記言語、文字、記号、及び各種のしるしのうち、少なくとも２つが組み合わされた識別情報であってもよい。
【００５５】
宛先リスト作成部２０は、管理システム５０から受信した、後述の会議リスト情報、宛先リスト情報、及び各宛先候補としての端末１０の状態情報に基づいて、図７に示されているような宛先候補の状態がアイコンで示された宛先リスト及び会議リストの作成及び更新を行う。
【００５６】
＜中継装置の機能構成＞
中継装置３０は、送受信部３１、中継部３２、及び記憶・読出処理部３９を有している。これら各部は、図５に示されている各構成要素のいずれかが、ＨＤ２０４からＲＡＭ２０３上に展開された中継装置用プログラムに従ったＣＰＵ２０１からの命令によって動作することで実現される機能又は機能する手段である。また、中継装置３０は、図５に示されているＲＡＭ２０３、及び／又は図５に示されているＨＤ２０４によって構築される記憶部３０００を有している。
【００５７】
（中継装置の各機能部）
次に、中継装置３０の各機能構成について詳細に説明する。なお、以下では、中継装置３０の各機能構成を説明するにあたって、図５に示されている各構成要素のうち、中継装置３０の各機能構成を実現させるための主な構成要素との関係も説明する。
【００５８】
図６に示されている中継装置３０の送受信部３１は、図５に示されているＣＰＵ２０１からの命令、及び図５に示されているネットワークＩ／Ｆ２０９によって実現され、通信ネットワーク２を介して他の端末、装置、又はシステムと各種データ（または情報）の送受信を行う。中継部３２は、図５に示されているＣＰＵ２０１からの命令によって実現され、送受信部３１を介して、コンテンツデータ用セッションｓｅｄにおいて端末１０間で送受信されるコンテンツデータを中継する。
【００５９】
記憶・読出処理部３９は、図５に示されているＣＰＵ２０１からの命令、及び図５に示されているＨＤＤ２０５によって実現され、記憶部３０００に各種データを記憶したり、記憶部３０００に記憶された各種データを読み出す処理を行う。
【００６０】
＜管理システムの機能構成＞
管理システム５０は、送受信部５１、端末認証部５２、状態管理部５３、端末抽出部５４、端末状態取得部５５、中継装置選択部５６、セッションＩＤ生成部５７ａ、セッション管理部５７ｂ、記憶・読出処理部５９、予約抽出部６１、セッション抽出部６２、予約判断部６３、及び会議宛先情報作成部６４を有している。これら各部は、図５に示されている各構成要素のいずれかが、ＨＤ２０４からＲＡＭ２０３上に展開された管理システム用プログラムに従ったＣＰＵ２０１からの命令によって動作することで実現される機能又は機能する手段である。また、管理システム５０は、図５に示されているＨＤ２０４により構築される記憶部５０００を有している。この記憶部５０００には、図７に示されている宛先リスト枠３１１−１が記憶されている。
【００６１】
（中継装置管理テーブル）
記憶部５０００には、図８に示されているような中継装置管理テーブルによって構成されている中継装置管理ＤＢ５００１が構築されている。なお、図８は、中継装置管理テーブルを示す概念図である。この中継装置管理テーブルでは、各中継装置３０の中継装置ＩＤ毎に、中継装置３０のＩＰアドレスが関連付けられて管理される。例えば、図８に示されている中継装置管理テーブルにおいて、中継装置ＩＤ「１１１ａ」の中継装置３０ａのＩＰアドレスは、「１．２．１．２」であることが示されている。
【００６２】
（端末認証管理テーブル）
更に、記憶部５０００には、図９に示されているような端末認証管理テーブルによって構成されている端末認証管理ＤＢ５００２が構築されている。なお、図９は、端末認証管理テーブルを示す概念図である。この端末認証管理テーブルでは、管理システム５０によって管理される全ての端末１０の各端末ＩＤに対して、各パスワードが関連付けられて管理される。例えば、図９に示されている端末認証管理テーブルにおいて、端末１０ａａの端末ＩＤは「０１ａａ」で、パスワードは「ａａａａ」であることが示されている。
【００６３】
（端末管理テーブル）
また、記憶部５０００には、図１０に示されているような端末管理テーブルによって構成されている端末管理ＤＢ５００３が構築されている。なお、図１０は、端末管理テーブルを示す概念図である。この端末管理テーブルでは、各端末１０の端末ＩＤ毎に、各端末１０を宛先とした場合の宛先名、各端末１０の稼動状態、後述のログイン要求情報が管理システム５０で受信された受信日時、及び端末１０のＩＰアドレスが関連付けられて管理される。例えば、図１０に示されている端末管理テーブルにおいて、端末ＩＤが「０１ａａ」の端末１０ａａは、宛先名が「日本  東京事業所  ＡＡ端末」で、稼動状態が「オンライン」で、管理システム５０でログイン要求情報が受信された日時が「２０１１年１１月１０日の１０時４０分」で、この端末１０ａａのＩＰアドレスが「１．２．１．３」であることが示されている。
【００６４】
（宛先リスト管理テーブル）
更に、記憶部５０００には、図１１に示されているような宛先リスト管理テーブルによって構成されている宛先リスト管理ＤＢ５００４が構築されている。なお、図１１は、宛先リスト管理テーブルを示す概念図である。この宛先リスト管理テーブルでは、テレビ会議における通話の開始を要求する要求元端末の端末ＩＤに対して、宛先端末の候補として登録されている宛先端末の端末ＩＤが全て関連付けられて管理される。例えば、図１１に示されている宛先リスト管理テーブルにおいて、端末ＩＤが「０１ａａ」である要求元端末（端末１０ａａ）からテレビ会議における通話の開始を要求することができる宛先端末の候補は、端末ＩＤが「０１ａｂ」の端末１０ａｂ、端末ＩＤが「０１ｂａ」の端末１０ｂａ、及び端末ＩＤが「０１ｂｂ」の端末１０ｂｂ等であることが示されている。この宛先端末の候補は、任意の要求元端末から管理システム５０に対する追加又は削除の要請により、追加又は削除されることで更新される。
【００６５】
（セッション管理テーブル）
また、この記憶部５０００には、図１２に示されているようなセッション管理テーブルによって構成されている通信管理部の一例としてのセッション管理ＤＢ５００５が構築されている。なお、図１２は、セッション管理テーブルを示す概念図である。このセッション管理テーブルでは、端末間のコンテンツデータ用セッションｓｅｄを識別するためのセッションＩＤ毎に、このコンテンツデータ用セッションｓｅｄによる通話の予約を識別するための予約ＩＤ、このコンテンツデータ用セッションｓｅｄでコンテンツデータの中継に使用される中継装置３０を識別するための中継装置ＩＤ、及び、このコンテンツデータ用セッションｓｅｄで予約に基づく通話を実行中の端末１０を識別するための端末ＩＤが関連付けられて管理される。例えば、図１２に示されているセッション管理テーブルにおいて、セッションＩＤ「ｓｅ０３」に対応した予約ＩＤが「ｒｓｖ０８」で、このコンテンツデータ用セッションｓｅｄで中継装置ＩＤ「１１１ｃ」の中継装置３０ｃは、端末（１０ａｅ，１０ｄｃ）間で、コンテンツデータを中継していることが示されている。なお、予約に基づかない通話が実行される場合には、セッション管理テーブルの予約ＩＤの項目は空欄となる。
【００６６】
（予約管理テーブル）
更に、記憶部５０００には、図１３に示されているような予約管理テーブルによって構成されている予約管理部の一例としての予約管理ＤＢ５００９が構築されている。なお、図１３は、予約管理テーブルを示す概念図である。この予約管理テーブルでは、端末間のコンテンツデータ用セッションｓｅｄによる通話が予約された場合にこの予約を識別するための予約ＩＤ毎に、予約された通話の開始日時、終了日時、会議名、通話の予約がされた端末の端末ＩＤが関連付けられて管理される。例えば、図１３に示されている予約管理テーブルにおいて、予約ＩＤ「ｒｓｖ０３」で予約された通話の開始日時が「２０１１年１１月１０日の１５時００分」で、終了日時が「２０１１年１１月１０日の１７時００分」で、会議名が「セキュリティー打合せ」で、この予約された通話に参加する端末の端末ＩＤが「０１ａｂ，０１ｃａ，０１ｄｂ」であることが示されている。予約管理テーブルの予約ＩＤ、開始日時、終了日時、会議名、および端末ＩＤは、任意の端末１０から管理システム５０に対する追加又は削除の要請により、記憶・読出処理部５９が追加又は削除することで更新される。
【００６７】
（管理システムの各機能構成）
次に、管理システム５０の各機能構成について詳細に説明する。なお、以下では、管理システム５０の各機能構成を説明するにあたって、図５に示されている各構成要素のうち、管理システム５０の各機能構成を実現させるための主な構成要素との関係も説明する。
【００６８】
受付部または送信部の一例としての送受信部５１は、図５に示されているＣＰＵ２０１からの命令、及び図５に示されているネットワークＩ／Ｆ２０９によって実行され、通信ネットワーク２を介して他の端末、装置又はシステムと各種データ（または情報）の送受信を行う。
【００６９】
端末認証部５２は、図５に示されているＣＰＵ２０１からの命令によって実現され、送受信部５１を介して受信されたログイン要求情報に含まれている端末ＩＤ及びパスワードを検索キーとして、記憶部５０００の端末認証管理テーブル（図９参照）を検索し、端末認証管理テーブルに同一の端末ＩＤ及びパスワードが管理されているかを判断することによって端末認証を行う。
【００７０】
状態管理部５３は、図５に示されているＣＰＵ２０１からの命令によって実現され、ログイン要求してきた要求元端末の稼動状態を管理すべく、端末管理テーブル（図１０参照）に、この要求元端末の端末ＩＤ、要求元端末の稼動状態、管理システム５０でログイン要求情報が受信された受信日時、及び要求元端末のＩＰアドレスを関連付けて記憶して管理する。また、状態管理部５３は、利用者が端末１０の電源スイッチ１０９の状態をＯＮからＯＦＦにすることで、端末１０から送られてきた、電源をＯＦＦする旨の状態情報に基づいて、端末管理テーブルのオンラインを示す稼動状態をオフラインに変更する。
【００７１】
端末抽出部５４は、図５に示されているＣＰＵ２０１からの命令によって実現され、ログイン要求した要求元端末の端末ＩＤをキーとして、宛先リスト管理テーブル（図１１参照）を検索し、要求元端末と通話することができる宛先端末の候補の端末ＩＤを読み出すことで、端末ＩＤを抽出する。また、端末抽出部５４は、ログイン要求してきた要求元端末の端末ＩＤをキーとして、宛先管理テーブルを検索し、上記要求元端末の端末ＩＤを宛先端末の候補として登録している他の要求元端末の端末ＩＤも抽出する。
【００７２】
端末状態取得部５５は、図５に示されているＣＰＵ２０１からの命令によって実現され、上記端末抽出部５４によって抽出された宛先端末の候補の端末ＩＤを検索キーとして、端末管理テーブル（図１０参照）を検索し、上記端末抽出部５４によって抽出された端末ＩＤ毎に稼動状態を読み出す。これにより、端末状態取得部５５は、ログイン要求してきた要求元端末と通話することができる宛先端末の候補の稼動状態を取得することができる。また、端末状態取得部５５は、上記端末抽出部５４によって抽出された端末ＩＤを検索キーとして、管理テーブルを検索し、ログイン要求してきた要求元端末の稼動状態も取得する。
【００７３】
中継装置選択部５６は、図５に示されているＣＰＵ２０１からの命令によって実現され、端末１０間のコンテンツデータ用セッションｓｅｄによる通話でコンテンツデータの中継に用いられる中継装置３０を選択する。
【００７４】
セッションＩＤ生成部５７ａは、図５に示されているＣＰＵ２０１からの命令によって実現され、端末１０間のコンテンツデータ用セッションｓｅｄが新たに確立される度に、このコンテンツデータ用セッションｓｅｄを識別するためのセッションＩＤを生成する。
【００７５】
セッション管理部５７ｂは、図５に示されているＣＰＵ２０１からの命令によって実現され、セッション管理テーブル（図１２参照）に、セッションＩＤ生成部５７ａで生成されたセッションＩＤ、このセッションＩＤで識別されるコンテンツデータ用セッションｓｅｄによる通話を実行中の端末の端末ＩＤを関連付けて記憶して管理する。また、セッション管理部５７ｂは、セッション管理テーブルに対して、セッションＩＤ毎に、中継装置選択部５６によって選択された中継装置３０の中継装置ＩＤを記憶して管理する。
【００７６】
記憶・読出処理部５９は、図５に示されているＣＰＵ２０１からの命令、及び図５に示されているＨＤＤ２０５によって実行され、記憶部５０００に各種データを記憶したり、記憶部５０００に記憶された各種データを読み出す処理を行う。
【００７７】
要求元端末予約情報抽出部の一例としての予約抽出部６１は、図５に示されているＣＰＵ２０１からの命令によって実現され、ログイン要求、あるいは、通話開始要求した要求元端末の端末ＩＤを検索キーとして、予約管理テーブル（図１３参照）を検索し、対応する予約ＩＤを抽出する。また、予約抽出部６１は、抽出された予約ＩＤ毎にこの予約ＩＤを検索キーとして、予約管理テーブルを検索し、開始日時、終了日時、会議名を抽出する。
【００７８】
宛先端末予約情報抽出部の一例としてのセッション抽出部６２は、図５に示されているＣＰＵ２０１からの命令によって実現され、宛先端末の端末ＩＤを検索キーとして、セッション管理テーブルを検索し、この端末ＩＤに対応した予約ＩＤを抽出する。
【００７９】
判断部の一例としての予約判断部６３は、図５に示されているＣＰＵ２０１からの命令によって実現され、予約抽出部６１によって抽出された予約ＩＤと、セッション抽出部６２によって抽出された予約ＩＤとが同一であるか判断する。
【００８０】
会議宛先情報作成部６４は、予約抽出部６１によって抽出された予約ＩＤ毎に、開始日時、終了日時、会議名を含む会議情報を作成する。また、会議宛先情報作成部６４は、端末抽出部５４によって抽出された宛先端末の端末ＩＤ、及び端末状態取得部５５によって取得された宛先名、稼動状態を含む宛先情報を作成する。
【００８１】
＜＜実施形態の処理または動作＞＞
次に、本実施形態に係る伝送システム１における処理方法を説明する。まず、図１４乃至図１６を用いて、端末１０ａａと他の端末１０との間で、通話を開始する前の準備段階における各管理情報の送受信処理について説明する。図１４は、伝送端末間で通話を開始する準備段階の処理を示したシーケンス図である。図１５は、会議情報及び宛先情報を作成する処理を示したフロー図である。図１６は、会議情報及び宛先情報の一例を示す概念図である。なお、図１４では、全て図２に示されている管理情報用セッションｓｅｉによって、各種管理情報が送受信される。
【００８２】
まず、利用者が、図４に示されている電源スイッチ１０９をＯＮにすると、図６に示されている操作入力受付部１２が電源ＯＮを受け付けて、電源をＯＮにする（ステップＳ２１）。そして、ログイン要求部１３は、上記電源ＯＮの受け付けを契機とし、送受信部１１から通信ネットワーク２を介して管理システム５０に、ログイン要求を示すログイン要求情報を自動的に送信する（ステップＳ２２）。このログイン要求情報には、要求元としての自端末である端末１０ａａを識別するための端末ＩＤ及びパスワードが含まれている。これら端末ＩＤ及びパスワードは、記憶・読出処理部１９を介して記憶部１０００から読み出されて、送受信部１１に送られたデータである。なお、端末１０ａａから管理システム５０へログイン要求情報が送信される際は、受信側である管理システム５０は、送信側である端末１０ａａのＩＰアドレスを把握することができる。
【００８３】
次に、管理システム５０の端末認証部５２は、送受信部５１を介して受信したログイン要求情報に含まれている端末ＩＤ及びパスワードを検索キーとして、端末認証管理テーブル（図９参照）を検索し、端末認証管理テーブルに同一の端末ＩＤ及びパスワードが管理されているかを判断することによって端末認証を行う（ステップＳ２３）。この端末認証部５２によって、同一の端末ＩＤ及びパスワードが管理されているため、正当な利用権限を有する端末１０からのログイン要求であると判断された場合には、状態管理部５３は、端末管理テーブル（図１０参照）に、端末１０ａａの端末ＩＤ、稼動状態、上記ログイン要求情報が受信された受信日時、及び端末１０ａａのＩＰアドレスを関連付けて記憶する（ステップＳ２４）。これにより、端末管理テーブルには、端末ＩＤ「０１ａａ」に、稼動状態「オンライン」、受信日時「２０１１．１１．１０．１０：４０」及び端末１０ａａのＩＰアドレス「１．２．１．３」が関連付けて管理されることになる。
【００８４】
そして、管理システム５０の送受信部５１は、上記端末認証部５２によって得られた認証結果が示された認証結果情報を、通信ネットワーク２を介して、上記ログイン要求してきた要求元端末（端末１０ａａ）に送信する（ステップＳ２５）。本実施形態では、端末認証部５２によって正当な利用権限を有する端末であると判断された場合につき、以下続けて説明する。
【００８５】
管理システム５０は、ログイン要求した要求元端末（端末１０ａａ）に対応する宛先端末（端末１０）の宛先名、稼働状態等の情報を含む宛先情報、及びこの要求元端末を参加者に含む会議の会議名、開始日時等の情報を含む会議情報を作成する（ステップＳ２６）。会議情報及び宛先情報を作成する処理について図１５を用いて詳細に説明する。図１５は、会議情報及び宛先情報を作成する処理を示したフロー図である。管理システム５０の予約抽出部６１は、ログイン要求した要求元端末（端末１０ａａ）の端末ＩＤ「０１ａａ」を検索キーとして、予約管理テーブル（図１３参照）を検索し、予約ＩＤ（「ｒｓｖ０２」、…）を抽出する（ステップＳ２６−１）。これにより、要求元端末（端末１０ａａ）が参加する通話の予約を識別する予約ＩＤが抽出される。なお、予約抽出部６１は、予約ＩＤを抽出する際に、予約管理テーブルの開始日時、及び終了日時を参照して、当日に開催される通話、あるいは、ログイン要求情報が受信された受信日時から所定の時間内に開始される通話の予約ＩＤのみを抽出しても良い。
【００８６】
管理システム５０の予約抽出部６１は、抽出された予約ＩＤ（「ｒｓｖ０２」、…）毎にこの予約ＩＤを検索キーとして、予約管理テーブル（図１３参照）を検索し、開始日時、終了日時、会議名を抽出する（ステップＳ２６−２）。これにより、各予約ＩＤで予約された通話の開始日時、終了日時、会議名が抽出される。
【００８７】
続いて、会議宛先情報作成部６４は、予約抽出部６１によって抽出された予約ＩＤ毎に、開始日時、終了日時、会議名を含む会議情報を作成する（ステップＳ２６−３）。作成された会議情報の一例を図１６に示す。
【００８８】
続いて、端末抽出部５４は、ログイン要求した要求元端末（端末１０ａａ）の端末ＩＤ「０１ａａ」を検索キーとして、宛先リスト管理テーブル（図１１参照）を検索し、要求元端末（端末１０ａａ）と通話することができる宛先端末の候補の端末ＩＤを読み出すことによって抽出する（ステップＳ２６−４）。ここでは、要求元端末（端末１０ａａ）の端末ＩＤ「０１ａａ」に対応する宛先端末（端末（１０ａｂ，１０ｂａ，…，１０ｄｂ））のそれぞれの端末ＩＤ（「０１ａｂ」、「０１ｂａ」、…，「０１ｄｂ」）が抽出されることになる。
【００８９】
次に、端末状態取得部５５は、上記端末抽出部５４によって抽出された宛先端末の候補の端末ＩＤ（「０１ａｂ」、「０１ｂａ」、…、「０１ｄｂ」）を検索キーとして、端末管理テーブル（図１０参照）を検索し、上記端末抽出部５４によって抽出された端末ＩＤ毎に稼動状態（「オフライン」、「通話中」、…、「オンライン」）、宛先名（「日本  東京事業所  ＡＢ端末」、「日本  大阪事業所  ＢＡ端末」、…、「アメリカ  ニューヨーク事業所  ＤＢ端末」）を読み出すことにより、端末（１０ａｂ，１０ｂａ，…，１０ｄｂ）の各稼動状態、及び各宛先名を抽出する（ステップＳ２６−５）。これにより、会議宛先情報作成部６４は、端末抽出部５４によって抽出された宛先端末の端末ＩＤ、及び端末状態取得部５５によって抽出された宛先名、稼動状態を含む宛先情報を作成する（ステップＳ２６−６）。作成された宛先情報の一例を図１６（ｂ）に示す。
【００９０】
次に、管理システム５０の送受信部５１は、記憶・読出処理部５９を介して記憶部５０００から宛先リスト枠のデータ（図７で示されている宛先リスト枠３１１−１部分のデータ）を読み出す（ステップＳ２７）。更に、送受信部５１は、この宛先リスト枠に会議宛先情報作成部６４によって作成された会議情報を含めた「会議リスト情報（宛先リスト枠、予約ＩＤ、開始時刻、会議名）」と、宛先情報を含めた「宛先リスト情報（宛先リスト枠、端末ＩＤ、状態、宛先名）」とを、要求元端末（端末１０ａａ）に送信する（ステップＳ２８）。要求元端末（端末１０ａａ）で会議リスト情報および宛先リスト情報が受信されると、記憶・読出処理部１９は、受信された各情報を記憶部１０００に記憶する（ステップＳ２９）。
【００９１】
このように、本実施形態では、各端末１０で宛先リスト情報を管理するのではなく、管理システム５０が全ての端末の宛先リスト情報を一元管理している。よって、伝送システム１に新たな端末１０が含まれるようになったり、既に含まれている端末１０に替えて新たな端末１０を含めるようになったり、宛先リスト枠の見栄え等を変更することになった場合でも、管理システム５０側で一括して対応するため、各端末１０側で宛先リスト情報の変更を行う手間を省くことができる。
【００９２】
なお、管理システム５０は所定のタイミングでステップＳ２６の処理を繰り返し実行し、宛先情報及び会議情報の更新を管理する（ステップＳ３０）。ここで、宛先情報及び会議情報のいずれかが更新された場合に、送受信部５１は、会議リスト情報（宛先リスト枠、予約ＩＤ、開始時刻、会議名）と、宛先リスト情報（宛先リスト枠、端末ＩＤ、状態、宛先名）とを、要求元端末（端末１０ａａ）に送信する（ステップＳ３１）。また、要求元端末（端末１０ａａ）で会議リスト情報および宛先リスト情報が受信されると、記憶・読出処理部１９は、順次、受信された各情報を記憶部１０００に記憶して更新する（ステップＳ３２）。これにより、要求元端末（端末１０ａａ）では、要求元端末（端末１０ａａ）と通話することができる宛先端末の候補である端末１０の現時点のそれぞれの稼動状態や、予約された会議の情報を取得することができる。
【００９３】
次に、要求元端末（端末１０ａａ）の宛先リスト作成部２０は、記憶部１０００に記憶されている会議リスト情報および宛先リスト情報に基づいて、宛先候補としての端末１０の状態を反映させた宛先リスト及び予約された会議を反映させた会議リストを作成すると共に、表示制御部１６が、図４に示されているディスプレイ１２０に対して、宛先リスト及び会議リストを表示するタイミングを制御する（ステップＳ３４）。
【００９４】
以上より、図７に示されているように、宛先リスト枠３１１−１に各宛先名３１１−２等及び各状態情報を反映させたアイコン３１１−３ａ等が表示された状態の宛先リストをディスプレイ１２０に表示させることになる。
【００９５】
続いて、図１７を用いて、要求元端末（端末１０ａａ）が宛先端末（端末１０ｄｂ）との通話の開始を要求する場合の処理を説明する。図１７は、通話を開始する処理を示したシーケンス図である。なお、図１７では、全て管理情報用セッションｓｅｉによって、各種管理情報が送受信される処理が示されている。また、本実施形態においては、要求元端末（端末１０ａａ）は、宛先の候補としての端末１０のうち、上記ステップＳ２８によって受信した宛先リスト情報に含まれる端末のうち、稼働状態により、稼動状態がオンラインである端末の少なくとも一つを選択して通話の開始を要求することができる。
【００９６】
まず、要求元端末（端末１０ａａ）の利用者が図３に示されている操作ボタン１０８を押下して宛先端末（端末１０ｄｂ）を選択すると、図６に示されている操作入力受付部１２は、通話を開始する要求を受け付ける（ステップＳ４１）。端末１０ａａの送受信部１１は、端末１０ａａの端末ＩＤ、及び選択された宛先端末の端末ＩＤが含まれ、通話の開始を要求する旨を示す開始要求情報を、管理システム５０へ送信する（ステップＳ４２）。これにより、送受信部５１は、上記開始要求情報を受信することにより要求元端末（端末１０ａａ）から宛先端末（端末１０ｄｂ）との通話の開始を受け付けると共に、送信元である端末１０ａａのＩＰアドレスを把握することになる。
【００９７】
そして、状態管理部５３は、開始要求情報に含まれる要求元端末（端末１０ａａ）の端末ＩＤ及び宛先端末（端末１０ｄｂ）の端末ＩＤに基づき、端末管理テーブル（図１０参照）において、上記端末ＩＤがそれぞれ含まれるレコードの稼動状態のフィールド部分を、ともに「通話中」に変更する（ステップＳ４３）。
【００９８】
続いて、予約抽出部６１は、通話開始の要求をした要求元端末の端末ＩＤ「０１ａａ」および宛先端末の端末ＩＤ「０１ｄｂ」を検索キーとして、予約管理テーブル（図１３参照）を検索し、各端末の共通の予約を識別する予約ＩＤを抽出する（ステップＳ４４）。この場合、予約抽出部６１は、予約管理テーブルの開始日時、及び終了日時を参照して、開始要求情報を受け付けたときにクロック２１５から取得される受信日時が会議開催時刻に含まれる予約を識別する予約ＩＤを抽出する。なお、要求元端末の端末ＩＤに関連づけられた予約ＩＤと宛先端末の端末ＩＤに関連づけられた予約ＩＤとが異なる場合には、それぞれ異なる予約を有するため、管理システム５０は、通話の開始の要求を拒否する旨の情報を要求元端末（端末１０ａａ）に送信して処理を完了する。また、要求元端末および宛先端末の各端末ＩＤに関連づけられた予約ＩＤがそれぞれ抽出されなかった場合には、予約に基づかない通話として処理を継続する。本実施形態では、予約抽出部によって共通の予約ＩＤ「ｒｓｖ０２」が抽出された場合について説明を続ける。
【００９９】
次に、セッションＩＤ生成部５７ａは、要求元端末（端末１０ａａ）と宛先端末（端末１０ｄｂ）との間で予約に基づく通話を実行するためのセッション（コンテンツデータ用セッションｓｅｄ）を識別するためのセッションＩＤ「ｓｅ０１」を生成する（ステップＳ４５）。
【０１００】
次に、中継装置選択部５６は、中継装置管理テーブル（図８）で管理される中継装置の中から、要求元端末（端末１０ａａ）と宛先端末（端末１０ｄｂ）との間のコンテンツデータ用セッションｓｅｄにおいて、コンテンツデータの中継に用いられる中継装置３０を選択する（ステップＳ４６）。中継装置３０を選択する方法は、特に限定されないが、要求元端末または宛先端末と同じローカルエリアの中継装置３０を選択する方法、中継装置管理テーブルで管理された中継装置の中から所定の順番で中継装置を選択する方法などが例示される。本実施形態では、中継装置選択部５６によって中継装置ＩＤ「１１１ａ」の中継装置３０ａが選択された場合について説明を続ける。
【０１０１】
中継装置３０を選択する処理が完了すると、セッション管理部５７ｂは、予約抽出部６１によって抽出された予約ＩＤ「ｒｓｖ０２」、セッションＩＤ生成部５７ａによって生成されたセッションＩＤ「ｓｅ０１」、中継装置選択部５６によって選択された中継装置ＩＤ「１１１ａ」、要求元端末および宛先端末の各端末ＩＤ「０１ａａ，０１ｄｂ」をセッション管理テーブル（図１２参照）に記憶して管理する（ステップＳ４７）。
【０１０２】
次に、図６に示されている送受信部５１は、通信ネットワーク２を介して、要求元端末（端末１０ａａ）へ、ステップＳ４５で生成したセッションＩＤと、中継装置選択部５６によって選択された中継装置３０ａに接続するために用いられる中継装置接続情報を送信する（ステップＳ４８）。この中継装置接続情報には、中継装置３０ａのＩＰアドレス、認証情報、ポート番号等を含めることができる。要求元端末（端末１０ａａ）は、受信した中継装置接続情報を用いて中継装置３０ａに接続し、コンテンツデータを送信する。
【０１０３】
また、送受信部５１は、要求元端末（端末１０ａａ）の端末ＩＤ、セッションＩＤ「ｓｅ０１」、中継装置３０ａに接続するために用いられる上記の中継装置接続情報、及び管理システム５０のＩＰアドレスを宛先端末（端末１０ｄｂ）へ送信する（ステップＳ４９）。これにより、端末１０ｄｂの送受信部１１は、上記各情報を受信すると共に、コンテンツデータの中継に用いられる中継装置３０ａに接続するために用いられる中継装置接続情報、及び送信元である管理システム５０のＩＰアドレス「１．１．１．２」を把握することになる。宛先端末（端末１０ｄｂ）は、受信した中継装置接続情報を用いて中継装置３０ａに接続し、コンテンツデータを送信する。
【０１０４】
続いて、管理システム５０の送受信部５１は、ステップＳ４６で選択された中継装置３０ａへ、中継を開始を要求する旨が示された中継開始要求情報を送信する（ステップＳ５０）。この中継開始要求情報には、要求元端末（端末１０ａａ）のＩＰアドレス、宛先端末（端末１０ｄｂ）の各ＩＰアドレス、及びセッションＩＤ「ｓｅ０１」が含まれている。中継装置３０ａの記憶・読出管理部３９は、受信したセッションＩＤに、要求元端末（端末１０ａａ）及び宛先端末（端末１０ｄｂ）の各ＩＰアドレスを関連づけて記憶部３０００に記憶する。中継部３２は、記憶部３０００に記憶されたＩＰアドレスに基づいて、送受信部３１を介して、要求元端末（１０ａａ）から送信されたコンテンツデータを宛先端末（１０ｄｂ）に中継し、宛先端末（１０ｄｂ）から送信されたコンテンツデータを要求元端末（１０ａａ）に中継する。これにより、端末（１０ａａ，１０ｄｂ）の間で、コンテンツデータを通話するためのコンテンツデータ用セッションｓｅｄが確立され、端末（１０ａａ，１０ｄｂ）は、このセッションにより予約に基づく通話を開始することができる。
【０１０５】
続いて、図１８を用いて、要求元端末（端末１０ａｂ）が、３つの端末（１０ａｂ，１０ａａ，１０ｄｂ）間で予約に基づく通話を実行するために、通話中の宛先端末（端末１０ｄｂ）を選択して通話の開始を要求する処理を説明する。図１８は、３つの端末間で通話を開始する処理を示したシーケンス図である。なお、図１８では、管理情報用セッションｓｅｉによって、各種管理情報が送受信される。
【０１０６】
まず、要求元端末（端末１０ａｂ）の利用者が図２に示されている操作ボタン１０８を押下して宛先端末（端末１０ｄｂ）を選択すると、図６に示されている操作入力受付部１２は、端末１０ｄｂとの通話を開始する要求を受け付ける（ステップＳ６１）。なお、この時点で宛先端末（端末１０ｄｂ）は、中継装置３０を介して端末１０ａａとの間でコンテンツデータを送受信するコンテンツデータ用セッションｓｅｄを実行することにより「通話中」の状態となっている。
【０１０７】
続いて、端末１０ａｂの送受信部１１は、要求元端末（端末１０ａｂ）の端末ＩＤ「０１ａｂ」、及び宛先端末（端末１０ｄｂ）の端末ＩＤ「０１ｄｂ」を含み通話の開始を要求する旨を示す開始要求情報を、管理システム５０へ送信する（ステップＳ６２）。これにより、管理システム５０の送受信部５１は、上記開始要求情報を受信することにより要求元端末（端末１０ａｂ）からの宛先端末（端末１０ｄｂ）との通話の開始を受け付けると共に、送信元である要求元端末（端末１０ａｂ）のＩＰアドレス「１．２．１．４」を把握することになる。管理システム５０の状態管理部５３は、端末管理テーブル（図１０参照）において、開始要求情報に含まれる要求元端末（端末１０ａｂ）の端末ＩＤ「０１ａｂ」が含まれるレコードの稼動状態のフィールド部分を、「通話中」に変更する（ステップＳ６３）。
【０１０８】
続いて、管理システム５０は、要求元端末（端末１０ａｂ）の要求する通話の予約と宛先端末（端末１０ｄｂ）の実行中の通話の予約とが同一であるか判断して、要求元端末（端末１０ａｂ）の通話の要求を許可または拒否する処理を行う（ステップＳ６４）。この処理について図１９を用いて詳細に説明する。図１９は、通話要求の判断処理を示したフロー図である。まず、予約抽出部６１は、通話の開始の要求をした要求元端末の端末ＩＤ「０１ａｂ」を検索キーとして、予約管理テーブル（図１３参照）を検索し、対応する予約ＩＤを抽出する（ステップＳ６４−１）。なお、本実施形態では、予約抽出部６１は、予約ＩＤを抽出する際に、予約管理テーブルの開始日時、及び終了日時を参照して、開始要求情報を受け付けたときにクロック２１５から取得される時刻が会議開催時刻に含まれるセッションの予約ＩＤを抽出する。本実施形態では、予約抽出部６１によって予約ＩＤ「ｒｓｖ０２」が抽出された場合について説明を続ける。
【０１０９】
次に、セッション抽出部６２は、開始要求情報に含まれるの宛先端末の端末ＩＤ「０１ｄｂ」を検索キーとして、セッション管理テーブル（図１２参照）を検索し、対応する予約ＩＤ「ｒｓｖ０２」を抽出する（ステップＳ６４−２）。
【０１１０】
続いて、予約判断部６３は、ステップＳ６４−１で予約抽出部６１によって抽出された予約ＩＤと、ステップＳ６４−２でセッション抽出部６２によって抽出された予約ＩＤとが同一であるか判断する（ステップＳ６４−３）。本実施形態では、いずれの予約ＩＤとも「ｒｓｖ０２」であるので、予約ＩＤが同一であると判断される。
【０１１１】
予約ＩＤが同一であると判断された場合には（ステップＳ６４−３のＹＥＳ）、予約判断部６３は、要求元端末（端末１０ａｂ）の通話の開始の要求を許可する旨の判断をする（ステップＳ６４−４）。これは、要求元端末が要求する通話の予約と、宛先端末が実行中の通話の予約とが同一だからである（図１３参照）。なお、ステップＳ６４の処理が実行される時点で、端末１０ｄｂにおいて予約の変更なしに前の予約に基づく通話が延長されていた場合には、予約ＩＤが同一でないと判断されることになる（ステップＳ６４−３のＮＯ）。この場合、予約判断部６３は、要求元端末（端末１０ａｂ）の通話の開始の要求を拒否する旨の判断をする（ステップＳ６４−５）。
【０１１２】
続いて、要求元端末（端末１０ａｂ）の通話の開始の要求に対する応答として、送受信部５１は、予約判断部６３による判断の結果を要求元端末（端末１０ａｂ）に送信する（ステップＳ６５）。この場合、ステップＳ６４−４で、通話の開始の要求を許可する旨の判断がされた場合には、その旨の応答を要求元端末（端末１０ａｂ）に送信する。ステップＳ６４−５で、通話の開始の要求を拒否する旨の判断がされた場合には、その旨の応答を要求元端末（端末１０ａｂ）に送信する。本実施形態では、通話の開始の要求を許可する旨を示す応答が要求元端末（端末１０ａｂ）に送信された場合について、説明を続ける。
【０１１３】
セッション管理部５７ｂは、セッション管理テーブル（図１２参照）の、ステップＳ６４−２で抽出された予約ＩＤ「ｒｓｖ０２」が含まれるレコードの端末のフィールド部分に要求元端末（端末１０ａｂ）の端末ＩＤ「０１ａｂ」を追加する（ステップＳ６６）。セッション管理部５７ｂは、セッション抽出部６２によって抽出された予約ＩＤ「ｒｓｖ０２」を検索キーとしてセッション管理テーブルを検索し、対応するセッションＩＤ「ｓｅ０１」および中継装置ＩＤ「１１１ａ」を抽出する（ステップＳ６７）。
【０１１４】
次に、図６に示されている送受信部５１は、通信ネットワーク２を介して、要求元端末（端末１０ａｂ）へ、ステップＳ６７で抽出されたセッションＩＤ「ｓｅ０１」および中継装置３０ａに接続するために用いられる中継装置接続情報を送信する（ステップＳ６８）。この中継装置接続情報には、中継装置３０ａのＩＰアドレス、認証情報、ポート番号等を含めることができる。要求元端末（端末１０ａｂ）は、受信した中継装置接続情報を用いて中継装置３０ａに接続し、コンテンツデータを送信する。
【０１１５】
続いて、管理システム５０の送受信部５１は、中継装置３０ａへ、中継の開始を要求する旨の中継開始要求情報を送信する（ステップＳ６９）。この中継開始要求情報には、コンテンツデータ用セッションｓｅｄに新たに参加する端末１０ａｂのＩＰアドレス、および、ステップＳ６７で抽出されたセッションＩＤ「ｓｅ０１」が含まれている。中継装置３０ａの記憶・読出管理部３９は、セッションＩＤ「ｓｅ０１」に、新たにコンテンツデータ用セッションｓｅｄに参加する端末（端末１０ａｂ）のＩＰアドレスを記憶部３０００に追加して記憶する。中継部３２は、記憶部３０００に記憶されたＩＰアドレスに基づいて、送受信部３１を介して、端末（１０ａｂ）から送信されたコンテンツデータを端末（１０ａａ，１０ｄｂ）に中継し、端末（１０ａａ，１０ｄｂ）から送信されたコンテンツデータを端末１０ａｂに中継する。これにより、端末（１０ａｂ，１０ａａ，１０ｄｂ）の間で、コンテンツデータを通話するためのコンテンツデータ用セッションｓｅｄが確立され、端末１０ａｂは、このセッションにより端末（１０ａａ，１０ｄｂ）との間で、予約に基づく通話を開始することができる。
【０１１６】
続いて、図２０を用いて、端末（１０ａｂ，１０ａａ，１０ｄｂ）との間でコンテンツデータ用セッションｓｅｄが確立された後に、端末１０ｄｂがコンテンツデータ用セッションｓｅｄから退出して通話を終了する処理を説明する。図２０は、通話を終了する処理を示したシーケンス図である。なお、図２０では、管理情報用セッションｓｅｉによって、各種管理情報が送受信される処理が示されている。
【０１１７】
まず、端末１０ｄｂの利用者が図４に示されている操作ボタン１０８を押下すことにより、通話を終了する要求が受け付けられる（ステップＳ１２１）。そして、端末１０ｄｂの送受信部１１は、端末１０ｄｂの端末ＩＤ「０１ｄｂ」、及びこの通話で用いられたコンテンツデータ用セッションｓｅｄを識別するセッションＩＤ「ｓｅ０１」が含まれる退出要求情報を管理システム５０へ送信する（ステップＳ１２２）。
【０１１８】
この退出要求情報を受信すると、管理システム５０の状態管理部５３は、セッション退出要求情報に含まれる端末１０ｄｂの端末ＩＤ「０１ｄｂ」に基づき、端末管理テーブル（図１０参照）において、上記端末ＩＤ「０１ｄｂ」が含まれるレコードの稼働状態のフィールド部分を「通話中」から「オンライン」に変更する（ステップＳ１２３）。
【０１１９】
次に、セッション管理部５７ｂは、セッション管理テーブル（図１２参照）において、セッションＩＤ「ｓｅ０１」が含まれるレコードの端末ＩＤのフィールド部分から端末１０ｄｂの端末ＩＤ「０１ｄｂ」を削除する（ステップＳ１２４）。送受信部５１は、端末１０ｄｂのＩＰアドレス、及びセッションＩＤ「ｓｅ０１」が含まれる退出情報を、中継装置３０ａへ送信する（ステップＳ１２５）。中継装置３０ａの記憶・読出管理部３９は、受信したセッションＩＤ「ｓｅ０１」に、関連づけられて記憶部３０００に記憶されていた端末１０ｄｂのＩＰアドレスを削除する。これにより、中継部３２は、送受信部３１を介した、端末（１０ｄｂ）から送信されたコンテンツデータの端末（１０ａｂ，１０ａａ）への中継、および端末（１０ａｂ，１０ａａ）から送信されたコンテンツデータの端末１０ｄｂへの中継を停止する（ステップＳ１２６）。これにより、端末１０ｄｂは、端末（１０ａａ，１０ｄｂ）との間の、通話を終了し、コンテンツデータ用セッションｓｅｄから退出する。
【０１２０】
＜＜実施形態の主な効果＞＞
以上説明したように本実施形態によれば、管理システム５０のセッションテーブル（図１２参照）は、通話の予約を識別するための予約ＩＤと、この予約に基づく通信を実行中の端末１０ｄｂの端末ＩＤと、を関連付けて管理する。これにより、要求元端末から、宛先端末との予約に基づく通話の開始の要求を受け付けたときに、宛先端末が実行中の通話の予約と要求元端末によって要求された通話の予約とが同一であるか判断することが可能となる。また、管理システム５０は、この判断結果に基づいて、端末１０間の接続の制御を行うことが可能になる。
【０１２１】
上記の制御により、通話を許可する旨の判断がされると、セッション管理部５７ｂは、セッション管理テーブル（図１２参照）の、セッション抽出部６２によって抽出された予約ＩＤが含まれるレコードの端末のフィールド部分に要求元端末の端末ＩＤを追加する。これにより、新たにコンテンツデータ用セッションに参加する端末１０をセッション管理テーブルで管理することが可能になる。
【０１２２】
また、本実施形態によれば、管理システム５０の予約管理テーブル（図１３参照）は、通話の予約を識別するための予約ＩＤと、通話の予約がされた端末１０を識別するための端末ＩＤと、を関連付けて管理する。予約抽出部６１は、通話の開始の要求をした要求元端末の端末ＩＤを検索キーとして、予約管理テーブルを検索し、予約ＩＤを抽出する。これにより、予約判断部６３は、予約抽出部６１によって抽出された予約ＩＤと、セッション抽出部６２によって抽出された予約ＩＤとが同一であるか判断することが可能になる。
【０１２３】
＜＜実施形態の補足＞＞
また、上記各実施形態における管理システム５０、及びプログラム提供システム９０は、単一のコンピュータによって構築されてもよいし、各部（機能又は手段）を分割して任意に割り当てられた複数のコンピュータによって構築されていてもよい。また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。更に、プログラム提供システム９０が複数のコンピュータによって構築されている場合には、複数のモジュールが分けられた状態で、各コンピュータから送信されるようにしてもよい。
【０１２４】
また、上記本実施形態の端末用プログラム、中継装置用プログラム、及び伝送管理用プログラムが記憶された記録媒体、並びに、これらプログラムが記憶されたＨＤ２０４、及びこのＨＤ２０４を備えたプログラム提供システム９０は、いずれもプログラム製品（Program Product）として、国内又は国外へ、上記端末用プログラム、中継装置用プログラム、及び伝送管理用プログラムが利用者等に提供される場合に用いられる。
【０１２５】
また、予約判断部６３は、予約抽出部６１によって抽出された予約ＩＤと、セッション抽出部６２によって抽出された予約ＩＤとが同一であるか判断した（ステップＳ６４−３）。しかしながら、要求元端末が、開始要求情報に予約ＩＤを含めて管理システム５０に送信することにより、予約判断部６３は、開始要求情報に含まれる予約ＩＤを用いてステップＳ６４−３の判断を行っても良い。
【０１２６】
また、図１０では、受信日時について管理しているが、これに限るものではなく、受信日時のうち少なくとも受信時間を管理すればよい。
【０１２７】
更に、上記実施形態では、図８で中継装置のＩＰアドレス、図１０で端末のＩＰアドレスを管理することとしたが、これに限るものではなく、通信ネットワーク２上で中継装置３０を特定するための中継装置特定情報、又は通信ネットワーク２上で端末１０を特定するための端末特定情報であれば、それぞれのＦＱＤＮ（Fully Qualified Domain Name）を管理してもよい。この場合、周知のＤＮＳ（Domain Name System）サーバによって、ＦＱＤＮに対応するＩＰアドレスが取得されることになる。なお、「通信ネットワーク２で中継装置３０を特定するための中継装置特定情報」だけでなく、「通信ネットワーク２上における中継装置３０への接続先を示した中継装置接続先情報」、又は「通信ネットワーク２上における中継装置３０への宛先を示した中継装置宛先情報」と表現してもよい。同じく、「通信ネットワーク２で端末１０を特定するための端末特定情報」だけでなく、「通信ネットワーク２上における端末１０への接続先を示した端末接続先情報」、又は「通信ネットワーク２上における端末１０への宛先を示した端末宛先情報」と表現してもよい。
【０１２８】
本実施形態において、「テレビ会議」は、「ビデオ会議」と置き換え可能な用語として用いられている。
【０１２９】
また、上記実施形態では、伝送システム１の一例として、テレビ会議システムの場合について説明したが、これに限るものではなく、ＩＰ（Internet Protocol）電話や、インターネット電話等の電話システムであってもよい。また、伝送システム１は、カーナビゲーションシステムであってもよい。この場合、例えば、端末１０の一方が自動車に搭載されたカーナビゲーション装置に相当し、端末１０の他方が、カーナビゲーションを管理する管理センターの管理端末若しくは管理サーバ、又は他の自動車に搭載されているカーナビゲーション装置に相当する。更に、伝送システム１は、音声会議システム、又はＰＣ(Personal Computer)画面共有システムであっても良い。
【０１３０】
伝送システム１は、携帯電話機の通信システムであってもよい。この場合、例えば、端末は携帯電話機に相当する。この場合の宛先リストの表示例は、図２１に示されている。図２１は、他の実施形態の宛先リストを示す概念図である。即ち、携帯電話機としての端末３１０は、携帯電話機の本体３１０−１、この本体３１０−１に設けられたメニュー画面表示ボタン３１０−２、本体３１０−１に設けられた表示部３１０−３、本体３１０―１の下部に設けられたマイク３１０−４、本体３１０−１に設けられたスピーカ３１０−５を備えている。このうち、「メニュー画面表示ボタン」３１０−２は、各種アプリケーションを示すアイコンが表示されているメニュー画面を表示させるためのボタンである。表示部３１０−３は、タッチパネルになっており、利用者が宛先名を選択することで、相手の携帯電話機と通話を行うことができる。
【０１３１】
また、上記実施形態では、コンテンツデータの一例として、画像データ及び音声データについて説明したが、これに限るものではなく、触覚(touch)データであってもよい。この場合、一方の端末側でユーザが接触した感覚が、他方の端末側に伝達される。更に、コンテンツデータは、嗅覚（smell）データであってもよい。この場合、一方の端末側の匂い（臭い）が、他の端末側に伝達される。また、コンテンツデータは、画像データ、音声データ、触覚データ、及び嗅覚データのうち、少なくとも１つのデータであればよい。
【０１３２】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【符号の説明】
【０１３３】
１  伝送システム
１０  伝送端末
１１  送受信部
１２  操作入力受付部
１３  ログイン要求部
１４  撮像部
１５ａ  音声入力部
１５ｂ  音声出力部
１６  表示制御部
１９  記憶・読出処理部
２０  宛先リスト作成部
３０  中継装置
３１  送受信部
３２  中継部
３９  記憶・読出処理部
５０  伝送管理システム
５１  送受信部（受付部の一例、送信部の一例）
５２  端末認証部
５３  状態管理部
５４  端末抽出部
５５  端末状態取得部
５６  中継装置選択部
５７ａ  セッションＩＤ生成部
５７ｂ  セッション管理部
６１  予約抽出部（要求元端末予約情報抽出部の一例）
６２  セッション抽出部（宛先端末予約情報抽出部の一例）
６３  予約判断部（判断部の一例）
６４  会議宛先情報作成部
７０  ルータ
９０  プログラム提供システム
１００  メンテナンスシステム
１２０  ディスプレイ
１０００  記憶部
３０００  記憶部
３００１  変更品質管理ＤＢ
５０００  記憶部
５００１  中継装置管理ＤＢ
５００２  端末認証管理ＤＢ
５００３  端末管理ＤＢ
５００４  宛先リスト管理ＤＢ
５００５  セッション管理ＤＢ（通信管理部の一例）
５００９  予約管理ＤＢ（予約管理部の一例）
【先行技術文献】
【特許文献】
【０１３４】
【特許文献１】特許第４２９２５４４号公報
【特許文献２】特開２０１１−１９９８４５号公報
【図１】
0005831320.tif 000002
【図２】
0005831320.tif 000003
【図３】
0005831320.tif 000004
【図４】
0005831320.tif 000005
【図５】
0005831320.tif 000006
【図６】
0005831320.tif 000007
【図７】
0005831320.tif 000008
【図８】
0005831320.tif 000009
【図９】
0005831320.tif 000010
【図１０】
0005831320.tif 000011
【図１１】
0005831320.tif 000012
【図１２】
0005831320.tif 000013
【図１３】
0005831320.tif 000014
【図１４】
0005831320.tif 000015
【図１５】
0005831320.tif 000016
【図１６】
0005831320.tif 000017
【図１７】
0005831320.tif 000018
【図１８】
0005831320.tif 000019
【図１９】
0005831320.tif 000020
【図２０】
0005831320.tif 000021
【図２１】
0005831320.tif 000022